(57)【要約】【課題】接地対象物の姿勢に応じて、フック部の回動角度を調節できるとともに、接地対象物への取り付け作業を安全かつ容易に行うことが可能なアースフックを提供する。【解決手段】アースフック１は、電線等の接地対象物を挟持可能にフック部２が形成され、このフック部２が設置される固定部３が平面視Ｌ字状をなす一対の取付金具４，４によって回動可能に保持され、エポキシ樹脂等の電気絶縁性を有する材料によって形成される操作棒５の先端に、一対の取付金具４，４と固定部３を介してフック部２が取り付けられ、接地金具７が取付金具４にアース線６を介して接続され、フック部２を開閉させる開閉機構８に絶縁ホース９を介して作動油を送る油圧ポンプ１０が接続された構造となっている。【選択図】図１
2017055498.tif 000002
【特許請求の範囲】
【請求項１】
絶縁材によって形成される操作棒と、
この操作棒の先端に設置される取付金具と、
この取付金具にアース線を介して接続される設置金具と、
先端に保持具がそれぞれ取り付けられて面対称に配置されるとともに基端が軸体を中心として回動することで接地対象物を挟持可能に形成される一対の可動アームからなるフック部と、
このフック部が設置される固定部と、
前記可動アームの前記先端を閉じる方向へ付勢する引張バネと、を備え、
この固定部は前記操作棒の長手方向と直交する軸を中心として回動可能に前記取付金具によって保持されたことを特徴とするアースフック。
【請求項２】
前記フック部の対称面に直交し、かつ、前記操作棒の長手方向と直交する軸を中心として回動可能に前記固定部が締付ネジを用いて前記取付金具に締結されたことを特徴とする請求項１記載のアースフック。
【請求項３】
前記フック部の対称面と同一平面上に配置され、かつ、前記操作棒の長手方向と直交する軸を中心として回動可能に前記固定部が締付ネジを用いて前記取付金具に締結されたことを特徴とする請求項１記載のアースフック。
【請求項４】
前記一対の可動アームに対して前記軸体の近傍に先端がそれぞれ回動自在に連結されるとともに基端が回動自在に互いに連結される一対のリンク部材と、
この一対のリンク部材の前記基端に一端が連結されるワイヤーと、
このワイヤーの他端が連結される操作レバーと、
この操作レバーと前記リンク部材の間に設置されて前記ワイヤーを案内するガイドローラと、を備え、
前記操作レバーは、開操作又は閉操作のいずれかの操作により、前記ワイヤーが引っ張られるように前記操作棒に設置され、
前記一対のリンク部材は、前記ワイヤーを介して前記基端が引っ張られることにより前記先端が開くように構成されたことを特徴とする請求項３に記載のアースフック。
【請求項５】
油圧によって駆動されて進退自在に前記固定部へ設置される突出部材と、
前記油圧を発生させるための油圧ポンプと、を備え、
前記可動アームは、前記軸体の近傍に係止部が設けられ、この係止部が前記突出部材で押されることにより前記先端が開くように構成されたことを特徴とする請求項１乃至請求項３のいずれか１項に記載のアースフック。
【請求項６】
前記保持具は、側面視「コ」の字状をなすように前記接地対象物を保持するための溝が設けられ、この溝同士が対向するように前記一対の可動アームの前記先端にそれぞれ設置されたことを特徴とする請求項１乃至請求項５のいずれか１項に記載のアースフック。
【発明の詳細な説明】
【技術分野】
【０００１】
本発明は、接地対象物の姿勢に応じて、フック部の回動角度を調節できるアースフックに係り、特に、接地対象物への取り付け作業を安全かつ容易に行うことが可能なアースフックに関する。
【背景技術】
【０００２】
送配電線路をはじめ電力設備で行う点検作業等では、電気の流入を防止するため、停電箇所にアースフックを取り付けている。従来のアースフックとしては、例えば、横方向の取付金具等に対して、フック部を引掛けた状態で操作棒を軸心周りに回転させ、フック部を閉じることにより取付金具等を挟む構造が知られている。
【０００３】
ここで、従来技術に係るアースフックについて図８を用いて説明する。
図８に示すように、従来のアースフック５０は、接地金具５１がアース線５２を介して接続される頭部金具５３が、操作棒５４の先端に設置された構造となっている。
操作棒５４は、頭部金具５３を電路に取り付ける作業を行う際に、作業者が把持するためのものであり、エポキシ樹脂等の電気絶縁性を有する材料によって形成されている。頭部金具５３は、操作棒５４の一端に同軸状に固設された回転棒と、この回転棒の先端に設けられた雄ネジに螺合する歯車を覆うように、操作棒５４の一端に設置される金属カバー５５と、この金属カバー５５に一端が枢着され上記歯車を介して上記回転棒の回転が伝達されて金属カバー５５の一部とともに電線等の接地対象物を挟持可能に開閉する開閉フック５６と、からなる。
【０００４】
すなわち、アースフック５０では、操作棒５４を回転させることにより、開閉フック５６が開閉する。したがって、接地金具５１を接地した状態で操作棒５４を操作して、電路に設けられた電線等の接地対象物を開閉フック５６と金属カバー５５で挟持することにより、電路が頭部金具５３とアース線５２と接地金具５１を介して接地される。そして、開閉フック５６がさらに閉じられる方向へ操作棒５４を操作すると、電線等が開閉フック５６と金属カバー５５によって強く挟み付けられる。
しかしながら、このような構造のアースフック５０においては、例えば、電線等の接地対象物が鉛直方向に平行に配置されている場合には、開閉フック５６で挟持することが困難になるという課題があった。
【０００５】
このような課題を解決するものとして、例えば、特許文献１には、「電線の接地用具」という名称で、つるまきばねによって、閉じる方向へ付勢される固定咬着金具と可動咬着金具からなる電線把持部が絶縁操作棒にジンバルス型ユニバーサルジョイントを介して連結された構造の接地用具（アースフック）に関する考案が開示されている。
このような構造によれば、電線把持部が絶縁操作棒に対して前後左右へ回転可能であるため、電線が鉛直方向に対して平行に配置されている場合でも取り付けることができる。さらに、つるまきばねの作用により電線が電線把持部によって一定の力で締め付けられるため、熟練した作業者でなくとも、電線把持部を電線に対して容易に取り付けることができる。
【先行技術文献】
【特許文献】
【０００６】
【特許文献１】実開昭５７−３３１７号公報
【発明の概要】
【発明が解決しようとする課題】
【０００７】
しかしながら、このような構造の接地用具においては、作業者の手元で電線把持部の開閉操作を行うことができないため、作業性が悪い。また、電線把持部を開閉する操作を電線の近傍で行う必要があるため、作業者が誤って電線に接触してしまい、感電するおそれもある。
【０００８】
本発明はかかる従来の事情に対処してなされたものであり、接地対象物の姿勢に応じて、フック部の回動角度を調節できるとともに、接地対象物への取り付け作業を安全かつ容易に行うことが可能なアースフックを提供することを目的とする。
【課題を解決するための手段】
【０００９】
上記目的を達成するため、第１の発明であるアースフックは、絶縁材によって形成される操作棒と、この操作棒の先端に設置される取付金具と、この取付金具にアース線を介して接続される設置金具と、先端に保持具がそれぞれ取り付けられて面対称に配置されるとともに基端が軸体を中心として回動することで接地対象物を挟持可能に形成される一対の可動アームからなるフック部と、このフック部が設置される固定部と、可動アームの先端を閉じる方向へ付勢する引張バネと、を備え、この固定部は操作棒の長手方向と直交する軸を中心として回動可能に取付金具によって保持されたことを特徴とするものである。
【００１０】
このような構造のアースフックにおいては、フック部によって接地対象物を挟持した場合、接地対象物が引張バネの引張力に起因する一定の力で保持されるため、フック部から外れ難いという作用を有する。また、操作棒に対してフック部が固定部と取付金具を介して回動可能に連結されるという作用を有する。
【００１１】
第２の発明は、第１の発明において、フック部の対称面に直交し、かつ、操作棒の長手方向と直交する軸を中心として回動可能に固定部が締付ネジを用いて取付金具に締結されたことを特徴とするものである。
このような構造のアースフックにおいては、第１の発明の作用に加えて、締付ネジを緩めることで、フック部が、その対称面に直交し、かつ、操作棒の長手方向と直交する軸を中心として回動可能な状態となり、また、締付ネジを締めることにより、その回動角度を保ったままフック部が操作棒に固定されるという作用を有する。
【００１２】
第３の発明は、第１の発明において、フック部の対称面と同一平面上に配置され、かつ、操作棒の長手方向と直交する軸を中心として回動可能に固定部が締付ネジを用いて取付金具に締結されたことを特徴とするものである。
このような構造のアースフックにおいては、第１の発明の作用に加えて、締付ネジを緩めることで、フック部が、その対称面と同一平面上に配置され、かつ、操作棒の長手方向と直交する軸を中心として回動可能な状態となり、また、締付ネジを締めることにより、その回動角度を保ったままフック部が操作棒に固定されるという作用を有する。
【００１３】
第４の発明は、第３の発明において、一対の可動アームに対して軸体の近傍に先端がそれぞれ回動自在に連結されるとともに基端が回動自在に互いに連結される一対のリンク部材と、この一対のリンク部材の基端に一端が連結されるワイヤーと、このワイヤーの他端が連結される操作レバーと、この操作レバーとリンク部材の間に設置されてワイヤーを案内するガイドローラと、を備え、操作レバーは、開操作又は閉操作のいずれかの操作により、ワイヤーが引っ張られるように操作棒に設置され、一対のリンク部材は、ワイヤーを介して基端が引っ張られることにより先端が開くように構成されたことを特徴とするものである。
このような構造のアースフックにおいては、操作レバーを操作することによってワイヤーが引っ張られると、一対の可動アームが引張バネの引張力に抗して、その先端が開く方向へ回動するという作用を有する。そして、操作レバーの操作によってワイヤーを引っ張ることを止めると、一対の可動アームが引張バネに引っ張られて、その先端を閉じるように回動するという作用を有する。
【００１４】
第５の発明は、第１の発明乃至第３の発明のいずれかにおいて、油圧によって駆動されて進退自在に固定部へ設置される突出部材と、油圧を発生させるための油圧ポンプと、を備え、可動アームは、軸体の近傍に係止部が設けられ、この係止部が突出部材で押されることにより先端が開くように構成されたことを特徴とするものである。
このような構造のアースフックにおいては、第２の発明又は第３の発明の作用に加えて、油圧ポンプから突出部材に作動油が送られると、突出部材が前進して係止部を押動し、一対の可動アームが引張バネの引張力に抗して、その先端を開く方向へ回動するという作用を有する。そして、作動油が突出部材から油圧ポンプに戻されると、一対の可動アームは引張バネに引っ張られて、その先端を閉じる方向へそれぞれ回動し、突出部材が後退するという作用を有する。
【００１５】
第６の発明は、第１の発明乃至第５の発明のいずれかにおいて、保持具は、側面視「コ」の字状をなすように接地対象物を保持するための溝が設けられ、この溝同士が対向するように一対の可動アームの先端にそれぞれ設置されたことを特徴とするものである。
このような構造のアースフックにおいては、第１の発明乃至第５の発明の作用に加え、溝の内部に配置された電線等の接地対象物が保持具によって両側から挟み込まれるようにして保持されることにより、フック部による把持力が高められるという作用を有する。
【発明の効果】
【００１６】
第１の発明によれば、フック部を操作棒に対して回動させ、電線等の姿勢（設置状況）に応じて、その回動角度を調節することができる。これにより、電線等に対するフック部の取付けが容易となり、作業性が向上する。
【００１７】
第２の発明によれば、締付ネジを締めることにより、フック部が操作棒に対して所定の回動角度を保った状態で固定されるため、第１の発明の効果に加えて、電線等への取り付け時にフック部が不用意に回動するおそれがなく、当該作業を安全に行うことができるという効果を奏する。
【００１８】
第３の発明は、第２の発明に対し、フック部が回動する軸の向きは異なるものの、フック部が操作棒に対して所定の回動角度を保った状態で固定されるという点は共通しているため、第２の発明と同様の効果を有している
【００１９】
第４の発明によれば、手元の近くに操作レバーを設置することが可能であり、そのように設置された操作レバーを操作することによってフック部を容易に開閉できる。加えて、フック部を直接操作する場合とは異なり、感電等の事故が発生するおそれがない。すなわち、本発明によれば、第３の発明の効果に加え、操作性及び安全性に優れるという効果を有している。そして、本発明は、油圧機構等を備えておらず、軽量で簡単な構造であるため、持ち運びが容易である。また、安価に製造することができる。
【００２０】
第５の発明では、手元の近くに油圧ポンプを設置することが可能であり、そのように設置された油圧ポンプを操作することでフック部を容易に開閉できる。加えて、フック部を直接操作する場合とは異なり、作業者が誤って電線等に接触して感電してしまうなどの事故が発生するおそれがない。すなわち、本発明によれば、第１の発明乃至第３の発明のいずれかの効果に加え、操作性及び安全性に優れるという効果を有している。
【００２１】
第６の発明によれば、第１の発明乃至第５の発明のいずれかの効果を奏することに加え、接地対象物への取り付け作業を安全かつ容易に行うことができるという効果がより一層発揮される。
【図面の簡単な説明】
【００２２】
【図１】（ａ）は本発明の実施の形態に係るアースフックの実施例１の外観図であり、（ｂ）は同図（ａ）のアースフックを構成する油圧ポンプの平面図である。
【図２】（ａ）及び（ｂ）はそれぞれ図１に示したアースフックを構成するフック部の正面図及びその先端の一部を拡大して示した斜視図である。
【図３】（ａ）及び（ｂ）は図１に示したアースフックを構成するフック部の平面図である。
【図４】図１においてフック部を回転させた状態を示す図である。
【図５】（ａ）は本発明の実施の形態に係るアースフックの実施例２の外観図であり、（ｂ）は同図（ａ）において操作棒に操作レバーが取り付けられた箇所を拡大して示した図である。
【図６】（ａ）及び（ｂ）は図５に示したアースフックを構成するフック部の平面図である。
【図７】（ａ）及び（ｂ）は図５に示したアースフックを構成するフック部と固定部及び操作棒の一部を拡大して示した正面図である。
【図８】従来技術に係るアースフックの外観図である。
【発明を実施するための形態】
【００２３】
本発明のアースフックの構造について、図１〜図７を用いて説明する。ただし、図２（ｂ）では可動アームの図示を省略している。また、図３（ａ）及び図６（ａ）はフック部が閉じた状態を示し、図３（ｂ）及び図６（ｂ）はフック部が開いた状態を示している。
【実施例１】
【００２４】
図１及び図２に示すように、アースフック１は、電線等の接地対象物を挟持可能に形成されるフック部２と、平面視Ｌ字状をなし、フック部２が設置される固定部３を回動可能に保持する一対の取付金具４，４と、この一対の取付金具４，４と固定部３を介してフック部２が先端に取り付けられエポキシ樹脂等の電気絶縁性を有する材料によって形成される操作棒５と、取付金具４にアース線６を介して接続される接地金具７と、フック部２を開閉させる開閉機構８と、この開閉機構８に絶縁ホース９を介して作動油を送る油圧ポンプ１０を備えている。
【００２５】
油圧ポンプ１０は、側面に絶縁ホース９，９の連結口１１，１１と、加減圧バルブ１２と、切換レバー１３と、荷重計１４が設けられるとともに、上面にハンドル棒１５と、作動油注入口１６が設けられている。そして、矢印Ａで示すようにハンドル棒１５を回動させることで、作動油を加圧するとともに、加減圧バルブ１２によって油圧を調整し、作動油の送出と回収を切換レバー１３によって切り換える構造となっている。
【００２６】
フック部２は、先端に保持具１７がそれぞれ取り付けられて面対称に配置される一対の可動アーム１８，１８からなり、固定部３は、操作棒５の先端に取り付けられた取付金具４，４によって回動自在に保持されるとともに、フック部２の対称面に直交し、かつ、操作棒５の長手方向と直交する軸を中心として回動可能な締付ネジ１９によって取付金具４，４に締結されている。したがって、締付ネジ１９を緩めると、フック部２は、その対称面に直交し、かつ、操作棒５の長手方向と直交する軸を中心として回動可能な状態になる。
このような構造によれば、締付ネジ１９を締めることにより、フック部２が操作棒５に対して所定の回動角度を保った状態で固定されるため、電線等への取り付け時にフック部２が不用意に回動するおそれがない。したがって、電線等への取り付け作業を安全に行うことができる。なお、絶縁ホース９は、このフック部２の回動動作を阻害しないように、十分な長さを有している。
【００２７】
また、本実施例では、操作棒５の先端に取り付けられたフック部２がその対称面に直交し、かつ、操作棒５の長手方向と直交する軸を中心として回動可能となっているが、これに限らず、例えば、実施例２として後述するように、フック部２がその対称面と同一平面上に配置され、かつ、操作棒５の長手方向と直交する軸を中心として回動可能な構造とすることもできる。あるいは、単に操作棒５の長手方向と直交する軸を中心として回動可能な構造としても良い。
【００２８】
図２（ｂ）に示すように、保持具１７は、側面視「コ」の字状をなしており、電線等を保持するための溝２０ａを有するアダプタ２０を内側に装着可能となっている。すなわち、保持具１７は、電線等の太さに応じて、適切な幅の溝２０ａを有するアダプタ２０を適宜選択して装着可能な構造となっている。なお、保持具１７には、貫通孔２０ｂ，２０ｂに連通するネジ孔（図示せず）が設けられており、アダプタ２０はネジを用いて保持具１７に固定される。
このような構造によれば、アダプタ２０の溝２０ａの内部に配置された電線等が保持具１７によって両側から挟み込まれるようにして保持されるため、フック部２による把持力が高められるという作用を有する。この場合、電線等がフック部２から不用意に外れることがなくなるため、作業者は電線等にアースフック１を取り付ける作業を安全かつ容易に行うことができる。
【００２９】
図３（ａ）に示すように、可動アーム１８，１８は、基端が固定部３に軸体２１，２１を中心として回動可能に連結されるとともに、先端と基端の間に設置された引張バネ２２によって互いに先端が閉じる方向へそれぞれ付勢されている。また、固定部３の上面には、油圧によって駆動される突出部材２３と、この突出部材２３に押されて前進するスライド部材２４が進退自在に設置されており、可動アーム１８の基端側の軸体２１の近傍には、スライド部材２４に押されることで先端側を開閉可能に、係止部１８ａが設けられている。
【００３０】
油圧ポンプ１０から絶縁ホース９を通して突出部材２３に作動油が送られると、図３（ａ）に矢印Ｂで示すように、スライド部材２４が突出部材２３に押されて前進し、係止部１８ａを押動するため、図３（ｂ）に示すように、可動アーム１８，１８は、引張バネ２２の引張力に抗して先端が開く方向へ軸体２１，２１を中心としてそれぞれ回動する。さらに、この状態において、作動油が突出部材２３から油圧ポンプ１０に戻されると、可動アーム１８，１８は引張バネ２２に引っ張られて先端が閉じる方向へそれぞれ回動し、突出部材２３はスライド部材２４とともに矢印Ｃで示すように後退する。すなわち、アースフック１においては、突出部材２３とスライド部材２４は引張バネ２２とともにフック部２を開閉させる開閉機構８として機能する。
【００３１】
このような構造のアースフック１においては、締付ネジ１９を緩めることで、図４に矢印Ｄで示すように、フック部２が、その対称面に直交し、かつ、操作棒５の長手方向と直交する軸を中心として回動可能な状態となり、また、締付ネジ１９を締めることにより、その回動角度が固定されるという作用を有する。すなわち、フック部２が固定部３と取付金具４を介して操作棒５に対して回動可能となっているため、電線等の姿勢（設置状況）に応じてフック部２の回動角度を調節することができる。これにより、電線等に対するフック部２の取付けが容易となり、その作業性が向上する。また、締付ネジ１９を締めることにより、フック部２が操作棒５に対して所定の回動角度を保った状態で固定されるため、アースフック１を電線等に取り付ける際にフック部２が不用意に回動するおそれがない。したがって、当該作業を安全に行うことができる。
【００３２】
また、フック部２によって電線等を挟持した場合、電線等は引張バネ２２の引張力に起因する一定の力で保持されるため、フック部２から外れ難い。そして、フック部２が閉じている場合には、手元の油圧ポンプ１０を操作することによって、フック部２を容易に開閉できるため、フック部２を直接操作する場合と異なり、作業者が誤って電線等に接触して感電してしまうなどの事故が発生するおそれがない。すなわち、アースフック１によれば、電線等にフック部２を取り付けたり、電線等からフック部２を取り外したりする作業を容易かつ安全に行うことができる。
【００３３】
なお、本実施例では、突出部材２３がスライド部材２４を介して可動アーム１８の係止部１８ａを押動する構造となっているが、これに限らず、例えば、スライド部材２４を省略して突出部材２３が可動アーム１８の係止部１８ａを直接、押動する構造としても良い。
【実施例２】
【００３４】
図５（ａ）は本発明の実施の形態に係るアースフックの実施例２の外観図であり、図５（ｂ）は操作棒に操作レバーが取り付けられた箇所を拡大して示した図である。また、図６（ａ）及び図６（ｂ）はフック部の平面図であり、図７（ａ）及び図７（ｂ）はフック部と固定部及び操作棒の一部を拡大して示した正面図である。なお、図１〜図４に示した構成要素については同一の符号を付して、その説明を省略する。
【００３５】
図５（ａ）に示すように、アースフック２５は、実施例１のアースフック１において、絶縁ホース９と油圧ポンプ１０に代えて、ワイヤー２６と操作レバー２７を備えるとともに、フック部２が、その対称面に直交する軸の代わりに、操作棒５の長手方向に直交し、かつ、上記対称面と同一平面上に配置される軸を中心として回動可能に、操作棒５の先端に取り付けられたことを特徴とする。また、ワイヤー２６は、開閉機構８と操作レバー２７の間に張設されるとともに、ガイドローラ２８ａ〜２８ｄにそれぞれ巻回されている。
【００３６】
図５（ｂ）に示すように、操作レバー２７は、操作棒５の側面に立設されたブラケット２９に支持ピン３０を中心として回動可能に取り付けられており、ワイヤー２６は、ブラケット２９に固定された筒体３１に挿通されるとともに、その端部が操作レバー２７に連結されている。したがって、矢印Ｅで示すように、操作レバー２７を操作棒５に近づける方向へ引くと、ワイヤー２６は操作レバー２７によって引っ張られるため、矢印Ｆで示す方向へ移動する。
【００３７】
固定部３は、取付金具４の代わりに、操作棒５の先端近傍の側面に取り付けられた取付金具３２によって回動自在に保持されるとともに、操作棒５の長手方向と直交し、かつ、フック部２の対称面と同一平面上に配置される軸を中心として回動可能な締付ネジ１９によって取付金具３２に締結されている。この場合、締付ネジ１９を緩めると、フック部２は、その対称面と同一平面上に配置されるとともに操作棒５の長手方向に直交する締付ネジ１９の軸を中心として回動可能な状態になる。
【００３８】
また、ガイドローラ２８ａ，２８ｂは、ワイヤー２６が開閉機構８とガイドローラ２８ｂの間においてフック部２の対称面と同一平面上に配置されるように設置されている。したがって、締付ネジ１９の軸を中心としてフック部２を回動させた場合でも、ワイヤー２６が引っ張られて、開閉機構８と操作レバー２７のいずれかへ向かって移動してしまうというおそれはない。
【００３９】
図６（ａ）に示すように、可動アーム１８，１８の基端側の軸体２１の近傍には、一対のリンク部材３３，３３の先端がそれぞれ回動自在に連結されている。また、リンク部材３３，３３の基端に設けられた貫通孔３３ａ，３３ａには、ワイヤー２６の端部が挿通された状態で連結されている。すなわち、リンク部材３３，３３の基端は、貫通孔３３ａ，３３ａの軸を中心として回動自在にワイヤー２６の端部を介して連結された構造となっている。
【００４０】
この場合、操作レバー２７（図５（ａ）を参照）を操作することによってワイヤー２６が引っ張られて矢印Ｇで示す方向へ移動すると、リンク部材３３，３３は先端が閉じられる方向へ貫通孔３３ａ，３３ａを中心として回動するため、図６（ｂ）に示すように、可動アーム１８，１８が引張バネ２２の引張力に抗して軸体２１を中心として先端を開くように回動する。また、この状態において、操作レバー２７（図５（ａ）を参照）による上述の操作を止めると、可動アーム１８，１８は引張バネ２２に引っ張られて先端が閉じるように回動し、ワイヤー２６は矢印Ｈで示す方向へ移動する。すなわち、ワイヤー２６とリンク部材３３，３３は引張バネ２２とともにフック部２を開閉させる開閉機構８を構成している。
【００４１】
図７（ａ）に示した状態のアースフック２５において、締付ネジ１９を緩めると、図７（ｂ）に矢印Ｉで示すように、フック部２が、その対称面と同一平面上に配置され、かつ、操作棒５の長手方向と直交する軸を中心として回動可能な状態となり、また、締付ネジ１９を締めると、その回動角度が固定される。すなわち、アースフック２５では、接地対象物の姿勢に応じてフック部２の回動角度を調節できるため、フック部２の取付け作業が容易である。
【００４２】
さらに、フック部２によって挟持された接地対象物が引張バネ２２の引張力に起因する一定の力で保持されるため、アースフック２５は、接地対象物がフック部２から外れ難いという作用を有する。加えて、アースフック２５では、フック部２が閉じている場合、手元の近くに設置された操作レバー２７を操作することによってフック部２を開くことができるため、フック部２を直接操作する場合とは異なり、感電等の事故が発生するおそれがなく、安全である。そして、アースフック２５は、実施例１のアースフック１とは異なり、油圧機構を備えていないため、軽量で簡単な構造であり、持ち運びが容易である。また、安価に製造することが可能である。
【産業上の利用可能性】
【００４３】
本発明の請求項１乃至請求項６に記載された発明は、電線等の点検作業において、電気の流入を防ぐことを目的として停電箇所に取り付けられるアースフックに用いることができる。
【符号の説明】
【００４４】
１…アースフック  ２…フック部  ３…固定部  ４…取付金具  ５…操作棒  ６…アース線  ７…接地金具  ８…開閉機構  ９…絶縁ホース  １０…油圧ポンプ  １１…連結口  １２…加減圧バルブ  １３…切換レバー  １４…荷重計  １５…ハンドル棒  １６…作動油注入口  １７…保持具  １８…可動アーム  １８ａ…係止部  １９…締付ネジ  ２０…アダプタ  ２０ａ…溝  ２０ｂ…貫通孔  ２１…軸体  ２２…引張バネ  ２３…突出部材  ２４…スライド部材  ２５…アースフック  ２６…ワイヤー  ２７…操作レバー  ２８ａ〜２８ｄ…ガイドローラ  ２９…ブラケット  ３０…支持ピン  ３１…筒体  ３２…取付金具  ３３…リンク部材  ３３ａ…貫通孔  ５０…アースフック  ５１…接地金具  ５２…アース線  ５３…頭部金具  ５４…操作棒  ５５…金属カバー  ５６…開閉フック
【図１】
2017055498.tif 000003
【図２】
2017055498.tif 000004
【図３】
2017055498.tif 000005
【図４】
2017055498.tif 000006
【図５】
2017055498.tif 000007
【図６】
2017055498.tif 000008
【図７】
2017055498.tif 000009
【図８】
2017055498.tif 000010